(57)【要約】【課題】複数の他のユーザーにより提出されたファイルをユーザーが更新後に返却する場面における利便性を向上させることが可能な、情報処理装置、情報処理方法、および情報処理システムを提案する。【解決手段】サブグループに登録されている複数の第１のユーザーの各々のための記憶領域から前記サブグループに登録されている第２のユーザーのための記憶領域へ複製された複数の第１のファイルが前記第２のユーザーにより更新されたか否かを判別し、更新されたことが判別された前記第１のファイルを前記第２のユーザーのための記憶領域から複製元の前記第１のユーザーのための記憶領域へ複製する返却部、を備える、情報処理装置。【選択図】図２０
2016081349.tif 000002
【特許請求の範囲】
【請求項１】
サブグループに登録されている複数の第１のユーザーの各々のための記憶領域から前記サブグループに登録されている第２のユーザーのための記憶領域へ複製された複数の第１のファイルが前記第２のユーザーにより更新されたか否かを判別し、更新されたことが判別された前記第１のファイルを前記第２のユーザーのための記憶領域から複製元の前記第１のユーザーのための記憶領域へ複製する返却部、
を備える、情報処理装置。
【請求項２】
前記返却部は、前記第１のファイルの更新日時に基づいて、前記複数の第１のファイルが前記第２のユーザーにより更新されたか否かを判別する、請求項１に記載の情報処理装置。
【請求項３】
前記返却部は、さらに、前記第１のファイルの返却履歴に基づいて、前記複数の第１のファイルが前記第２のユーザーにより更新されたか否かを判別する、請求項２に記載の情報処理装置。
【請求項４】
前記返却部は、前記複数の第１のファイルの各々に関して、前記複数の第１のユーザーの各々のための記憶領域からの受信日時よりも更新日時が新しい場合には、前記第２のユーザーにより更新されたと判別する、請求項２に記載の情報処理装置。
【請求項５】
前記返却部は、前記複数の第１のファイルの各々に関して、前記複数の第１のユーザーの各々のための記憶領域への返却日時よりも更新日時が新しい場合には、前記第２のユーザーにより更新されたと判別する、請求項２に記載の情報処理装置。
【請求項６】
前記情報処理装置は、前記第２のユーザーが操作する情報処理端末から前記情報処理装置に対する指示情報を受信する受信部をさらに備え、
前記返却部は、前記複数の第１のファイルの返却を指示する指示情報が前記情報処理端末から受信された場合に、更新されたことが判別された前記第１のファイルを複製元の前記第１のユーザーのための記憶領域へ複製する、請求項１に記載の情報処理装置。
【請求項７】
前記複数の第１のユーザーの各々のための記憶領域、および前記第２のユーザーのための記憶領域は、前記サブグループと対応づけてデータベースに記録されている、請求項１に記載の情報処理装置。
【請求項８】
前記情報処理装置は、前記サブグループの登録時に前記サブグループに対応づけて前記データベースに登録されたファイルを前記複数の第１のユーザーの各々のための記憶領域に複製する配布部をさらに備える、請求項７に記載の情報処理装置。
【請求項９】
前記複数の第１のファイルは、前記配布部により配布された後に、前記複数の第１のユーザーの各々により更新されたファイルを含む、請求項８に記載の情報処理装置。
【請求項１０】
前記複数の第１のファイルは、前記複数の第１のユーザーにより複製される前に、前記第２のユーザーのための記憶領域に記憶されていないファイルを含む、請求項８に記載の情報処理装置。
【請求項１１】
前記情報処理装置は、前記第１のファイルのファイル種別を判別し、前記第２のユーザーのための記憶領域における、判別されたファイル種別に応じたサブ記憶領域に前記第１のファイルを記録するデータベース管理部をさらに備える、請求項７に記載の情報処理装置。
【請求項１２】
前記情報処理装置は、前記第２のユーザーが操作する情報処理端末から前記サブグループに関する閲覧要求が受信された場合に、前記第２のユーザーのための記憶領域に記録されている複数のファイルを前記情報処理端末に表示させる表示制御部をさらに備える、請求項７に記載の情報処理装置。
【請求項１３】
前記第１のファイルと、前記第１のファイルの提出者を示す提出者情報とは前記データベースにおいて対応づけて記録されており、
前記表示制御部は、前記情報処理端末から前記サブグループの閲覧要求が受信された場合に、前記第１のファイルのファイル名および前記第１のファイルの提出者情報を前記情報処理端末に表示させる、請求項１２に記載の情報処理装置。
【請求項１４】
前記サブグループは、複数あり、
前記複数の第１のユーザーの各々のための記憶領域、および第２のユーザーのための記憶領域は、前記サブグループごとに、前記データベース内に設けられる、請求項７に記載の情報処理装置。
【請求項１５】
複数の前記サブグループは、一つのグループに対応づけて前記データベースに記録される、請求項１４に記載の情報処理装置。
【請求項１６】
サブグループに登録されている複数の第１のユーザーの各々のための記憶領域から前記サブグループに登録されている第２のユーザーのための記憶領域へ複製された複数の第１のファイルが前記第２のユーザーにより更新されたか否かを判別するステップと、
更新されたことが判別された前記第１のファイルを前記第２のユーザーのための記憶領域から複製元の前記第１のユーザーのための記憶領域へ複製するステップと、
を備える、情報処理方法。
【請求項１７】
情報処理装置、および情報処理端末を有し、
情報処理装置は、
サブグループに登録されている複数の第１のユーザーの各々のための記憶領域から前記サブグループに登録されている第２のユーザーのための記憶領域へ複製された複数の第１のファイルが前記第２のユーザーにより更新されたか否かを判別し、更新されたことが判別された前記第１のファイルを前記第２のユーザーのための記憶領域から複製元の前記第１のユーザーのための記憶領域へ複製する返却部、
を備え、
前記情報処理端末は、
前記情報処理装置から前記第１のファイルを受信する受信部と、
受信された前記第１のファイルを表示する表示部と、
を備える、情報処理システム。
【発明の詳細な説明】
【技術分野】
【０００１】
本開示は、情報処理装置、情報処理方法、および情報処理システムに関する。
【背景技術】
【０００２】
従来、例えば学習支援システムなど、ネットワークを介して、複数のユーザー間で例えば文書ファイルなどのデータを共有させることにより、複数のユーザー間の活動を支援する技術が開発されている。
【０００３】
例えば、特許文献１には、遠隔講義支援システムにおいて、教師用端末から生徒用端末に宿題を配布し、そして、生徒用端末において回答された宿題を教師用端末が回収する技術が開示されている。
【先行技術文献】
【特許文献】
【０００４】
【特許文献１】特開平１０−１２３９２３号公報
【発明の概要】
【発明が解決しようとする課題】
【０００５】
ところで、複数の他のユーザーにより提出されたファイルをユーザーが更新した後に、更新後のファイルを提出したユーザーに返却することも望まれている。
【０００６】
しかしながら、このような場面に特許文献１に記載の技術を適用することを想定すると、上記の技術では、利便性が低い。例えば、上記の技術では、他のユーザーにより提出されたファイルがユーザーにより更新されたか否かを自動的に判別することができない。このため、上記の技術では、更新済みのファイルをユーザーが手作業で選別して、他のユーザーに返却する必要がある。
【０００７】
そこで、本開示では、複数の他のユーザーにより提出されたファイルをユーザーが更新後に返却する場面における利便性を向上させることが可能な、新規かつ改良された装着型情報処理装置を提案する。
【課題を解決するための手段】
【０００８】
上記課題を解決するために、本開示のある観点によれば、サブグループに登録されている複数の第１のユーザーの各々のための記憶領域から前記サブグループに登録されている第２のユーザーのための記憶領域へ複製された複数の第１のファイルが前記第２のユーザーにより更新されたか否かを判別し、更新されたことが判別された前記第１のファイルを前記第２のユーザーのための記憶領域から複製元の前記第１のユーザーのための記憶領域へ複製する返却部、を備える、情報処理装置が提供される。
【０００９】
また、上記課題を解決するために、本開示の別の観点によれば、サブグループに登録されている複数の第１のユーザーの各々のための記憶領域から前記サブグループに登録されている第２のユーザーのための記憶領域へ複製された複数の第１のファイルが前記第２のユーザーにより更新されたか否かを判別するステップと、更新されたことが判別された前記第１のファイルを前記第２のユーザーのための記憶領域から複製元の前記第１のユーザーのための記憶領域へ複製するステップと、を備える、情報処理方法が提供される。
【００１０】
また、上記課題を解決するために、本開示の別の観点によれば、情報処理装置、および情報処理端末を有し、情報処理装置は、サブグループに登録されている複数の第１のユーザーの各々のための記憶領域から前記サブグループに登録されている第２のユーザーのための記憶領域へ複製された複数の第１のファイルが前記第２のユーザーにより更新されたか否かを判別し、更新されたことが判別された前記第１のファイルを前記第２のユーザーのための記憶領域から複製元の前記第１のユーザーのための記憶領域へ複製する返却部、を備え、前記情報処理端末は、前記情報処理装置から前記第１のファイルを受信する受信部と、受信された前記第１のファイルを表示する表示部と、を備える、情報処理システムが提供される。
【発明の効果】
【００１１】
以上説明したように本開示によれば、複数の他のユーザーにより提出されたファイルをユーザーが更新後に返却する場面における利便性を向上させることができる。なお、ここに記載された効果は必ずしも限定されるものではなく、本開示中に記載されたいずれかの効果であってもよい。
【図面の簡単な説明】
【００１２】
【図１】本開示の実施形態による情報処理システムの構成例を示した説明図である。
【図２】同実施形態によるアクティビティグループとアクティビティとの関係を示した説明図である。
【図３】同実施形態によるアクティビティグループ作成画面の表示例を示した説明図である。
【図４】同実施形態によるアクティビティ一覧表示画面の表示例を示した説明図である。
【図５】同実施形態によるアクティビティ作成画面の表示例を示した説明図である。
【図６】同実施形態によるアクティビティ表示選択画面の表示例を示した説明図である。
【図７】同実施形態による配布資料一覧表示画面の表示例を示した説明図である。
【図８】同実施形態による配布資料表示画面の表示例を示した説明図である。
【図９】参加者による配布資料の編集例を示した説明図である。
【図１０】同実施形態による配布資料の提出例を示した説明図である。
【図１１】同実施形態による提出ボックス表示画面の表示例を示した説明図である。
【図１２】同実施形態による返却前の受信ファイル一覧表示画面の表示例を示した説明図である。
【図１３】主催者による、提出された配布資料の編集例を示した説明図である。
【図１４】同実施形態による返却後の受信ファイル一覧画面の表示例を示した説明図である。
【図１５】同実施形態による返却ファイル一覧表示画面の表示例を示した説明図である。
【図１６】同実施形態による返却ファイルの表示例を示した説明図である。
【図１７】同実施形態によるサーバー１０の構成例を示した機能ブロック図である。
【図１８】同実施形態による配布資料の配布例を示した説明図である。
【図１９】同実施形態による配布資料の提出によるファイルの複製例を示した説明図である。
【図２０】同実施形態による提出されたファイルの返却例を示した説明図である。
【図２１】同実施形態による電子ペーパー２０の構成例を示した機能ブロック図である。
【図２２】同実施形態による動作の一部を示したシーケンス図である。
【図２３】同実施形態による動作の一部を示したシーケンス図である。
【図２４】同実施形態による動作の一部を示したシーケンス図である。
【図２５】同実施形態によるキャッシュアウト処理の動作を示したフローチャートである。
【図２６】同実施形態による返却ファイルの判別処理の動作を示したフローチャートである。
【図２７】同実施形態によるサーバー１０のハードウェア構成を示した説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて電子ペーパー２０ａおよび電子ペーパー２０ｂのように区別する。ただし、実質的に同一の機能構成を有する複数の構成要素の各々を特に区別する必要がない場合、同一符号のみを付する。例えば、電子ペーパー２０ａおよび電子ペーパー２０ｂを特に区別する必要が無い場合には、単に電子ペーパー２０と称する。
【００１５】
また、以下に示す項目順序に従って当該「発明を実施するための形態」を説明する。
１．情報処理システムの基本構成
２．実施形態の詳細な説明
２−１．ＵＩ
２−２．詳細構成
２−３．動作
２−４．効果
３．ハードウェア構成
４．変形例
【００１６】
＜＜１．基本構成＞＞
本開示は、一例として「２．実施形態の詳細な説明」において詳細に説明するように、多様な形態で実施され得る。最初に、本実施形態による情報処理システムの基本構成について、図１を参照して説明する。
【００１７】
図１に示したように、本実施形態による情報処理システムは、サーバー１０、電子ペーパー２０、端末２２、および通信網２４を含む。なお、以下では、本実施形態による情報処理システムが、大学などの教育機関における学習支援システムに適用される例を中心として説明を行う。但し、かかる例に限定されず、本実施形態による情報処理システムは、企業や行政機関などにおける会議支援システムや、業務支援システムなどに幅広く適用可能である。
【００１８】
＜１−１．サーバー１０＞
サーバー１０は、本開示における情報処理装置の一例である。このサーバー１０は、利用者の要求に基づいて登録される複数のアクティビティグループおよび各アクティビティグループに属する複数のアクティビティを管理するための装置である。ここで、アクティビティグループは、本開示におけるグループの一例であり、また、アクティビティは、本開示におけるサブグループの一例である。アクティビティは、複数の利用者が参加する活動の単位である。例えば、アクティビティグループが、高校や大学などの教育機関における科目である場合、アクティビティは、当該科目における一回の講義である。また、アクティビティグループが、企業における会議体である場合、アクティビティは、当該会議体における一回の会議である。
【００１９】
図２は、アクティビティグループとアクティビティとの関係を示した説明図である。図２に示したように、アクティビティグループ２は、複数のアクティビティ４を束ねるような包含関係として構成される。図２に示した例では、例えば「講義（１）」というアクティビティ４ａなどの、複数のアクティビティ４が、「物理学」というアクティビティグループ２に属するように登録されていることを示している。
【００２０】
＜１−２．電子ペーパー２０＞
電子ペーパー２０は、本開示における情報処理端末の一例である。電子ペーパー２０は、表示画面を表示するディスプレイを有した携帯型の装置である。電子ペーパー２０は、例えば利用者の操作に応じて、後述する記憶部２２４に記憶されたデータをディスプレイに表示させることが可能である。また、電子ペーパー２０は、例えば、電磁誘導タッチパネルなどのタッチパネルをディスプレイ上に有する。そして、電子ペーパー２０は、ディスプレイ上での例えばスタイラスや利用者の指などの移動により、ディスプレイに表示されたファイルに対する文字などの記入を可能とする。
【００２１】
また、電子ペーパー２０は、通信網２４を介してサーバー１０との間でファイルの送受信を行うことが可能である。例えば、電子ペーパー２０は、サーバー１０が管理しているアクティビティをダウンロードしたり、また、電子ペーパー２０に保存されているファイルをサーバー１０にアップロードすることが可能である。
【００２２】
＜１−３．端末２２＞
端末２２は、本開示における情報処理端末の一例である。端末２２は、例えば、表示画面を表示するためのディスプレイ、通信網２４に接続するためのネットワークインターフェース、および、ユーザーが入力を行うための入力装置などを有する。端末２２は、例えば、ＰＣ（Ｐｅｒｓｏｎａｌ  Ｃｏｍｐｕｔｅｒ）や、タブレット端末などであってもよい。
【００２３】
＜１−４．通信網２４＞
通信網２４は、通信網２４に接続されている装置から送信される情報の有線、または無線の伝送路である。例えば、通信網２４は、電話回線網、インターネット、衛星通信網などの公衆回線網や、Ｅｔｈｅｒｎｅｔ（登録商標）を含む各種のＬＡＮ、ＷＡＮ（Ｗｉｄｅ  Ａｒｅａ  Ｎｅｔｗｏｒｋ）などを含んでもよい。また、通信網２４は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００２４】
以上、本実施形態による情報処理システムの構成について説明した。上述した情報処理システムにおいて、サーバー１０は、アクティビティに登録している複数の他の利用者（参加者）により提出されたファイルを、アクティビティの利用者（主催者）が更新後に返却する場面における利便性を向上させることが可能である。以下、このような本実施形態について順次詳細に説明する。
【００２５】
＜＜２．実施形態の詳細な説明＞＞
＜２−１．ＵＩ＞
［２−１−１．アクティビティグループ・アクティビティの作成］
まず、本実施形態によるＵＩ（Ｕｓｅｒ  Ｉｎｔｅｒｆａｃｅ）の内容について、図３〜図１６を参照して説明を行う。最初に、アクティビティグループおよびアクティビティの作成に関するＵＩについて説明を行う。
【００２６】
アクティビティグループの作成を希望する作成者（例えば、学習支援システムの例では、教務課職員、担当教員、サポート教員など）は、端末２２を操作して、サーバー１０へアクセスする。そして、端末２２は、作成者の操作により、例えば図３に示したようなアクティビティグループ作成画面３０をサーバー１０から受信し、ディスプレイに表示する。
【００２７】
アクティビティグループ作成画面３０は、アクティビティグループを生成するための画面である。アクティビティグループ作成画面３０は、例えば、アクティビティグループ名入力欄３００、および承諾／非承諾ボタン３０２を含む。図３に示したように、アクティビティグループ名入力欄３００にアクティビティグループ名が入力され、そして、承諾ボタン３０２ａが作成者により選択されると、サーバー１０は、入力された名称のアクティビティグループを生成し、そして、後述するアクティビティグループＤＢ１２４に記録する。
【００２８】
その後、端末２２は、作成者の操作により、図４に示したようなアクティビティ一覧表示画面３２をサーバー１０から受信し、ディスプレイに表示することが可能である。このアクティビティ一覧表示画面３２は、該当のアクティビティグループ（図４に示した例では「物理学」）に属するアクティビティを一覧表示する画面である。また、アクティビティ一覧表示画面３２は、例えば、該当のアクティビティグループに配属される新規のアクティビティを作成するための、アクティビティ作成ボタン３２２を含む。
【００２９】
アクティビティ作成ボタン３２２が作成者により選択されると、端末２２は、図５に示したようなアクティビティ作成画面３４をディスプレイに表示する。図５に示したように、アクティビティ作成画面３４は、例えば、基本情報入力タブ３４０ａ、参加者情報入力タブ３４０ｂなどの各種情報入力タブ３４０を含む。また、基本情報入力タブ３４０ａは、例えば、アクティビティグループ選択欄３４２ａ、アクティビティ名入力欄３４２ｂ、主催者名選択欄３４２ｅなどの各種基本情報入力欄３４２を含む。アクティビティグループ選択欄３４２ａは、現在入力中のアクティビティが配属されるアクティビティグループを選択するための選択欄である。アクティビティ名入力欄３４２ｂは、当該アクティビティの名前を入力するための入力欄である。また、主催者名選択欄３４２ｅは、当該アクティビティの運営を担当する人物である、主催者の名前を選択するための選択欄である。なお、主催者は、本開示における第２のユーザーの一例である。
【００３０】
また、参加者情報入力タブ３４０ｂは、当該アクティビティに参加する個々の参加者に関する情報を登録するための入力タブである。なお、参加者は、本開示における第１のユーザーの一例である。また、参加者には、アクティビティの生成後に、当該アクティビティに関する情報の閲覧が可能な権限が与えられる。
【００３１】
また、資料入力タブ３４０ｃは、当該アクティビティの参加者に配布されるファイルである配布資料を登録（アップロード）するためのタブである。なお、配布資料の具体的な内容については後述する。
【００３２】
各種情報入力タブ３４０の全てに対する入力を作成者が完了すると、サーバー１０は、各種情報入力タブ３４０に対して入力された情報と対応づけてアクティビティを生成し、そして、生成したアクティビティを後述するアクティビティＤＢ１２６に記録する。
【００３３】
［２−１−２．アクティビティの閲覧・ファイルの提出］
次に、アクティビティの登録内容の閲覧、またはアクティビティの利用者（主催者または各参加者）間でのファイルの提出に関するＵＩについて説明を行う。
【００３４】
電子ペーパー２０または端末２２は、利用者の操作により、サーバー１０において管理されているアクティビティグループまたはアクティビティの登録内容をダウンロードし、表示することが可能である。なお、以下では説明を簡略化させるため、利用者が電子ペーパー２０を利用する際のＵＩの例について説明を行う。
【００３５】
例えば、電子ペーパー２０は、サーバー１０からアクティビティをダウンロードした後に、図６に示したようなアクティビティ表示選択画面３６をディスプレイに表示することが可能である。このアクティビティ表示選択画面３６は、例えば、電子ペーパー２０の利用者が（主催者または参加者として）所属している全てのアクティビティを一覧表示する画面である。図６に示したように、アクティビティ表示選択画面３６は、例えば、複数のアクティビティ選択表示３６２を含む。このアクティビティ表示選択画面３６においていずれかのアクティビティ選択表示３６２が利用者により選択されると、電子ペーパー２０は、選択されたアクティビティ選択表示３６２に対応するアクティビティに関して、例えば図７に示したような、当該利用者用に記録されているファイルを一覧表示する、利用者ファイル一覧表示画面をディスプレイに表示する。
【００３６】
なお、図７は、利用者ファイル一覧表示画面において配布資料タブ３８０ａが利用者に選択された際の表示例（配布資料一覧表示画面３８）を示している。この配布資料一覧表示画面３８は、該当のアクティビティ（図７に示した例では「講義（１）」）に対応づけて登録されている（当該利用者用の）配布資料を一覧表示する画面である。
【００３７】
配布資料一覧表示画面３８においていずれかの配布資料選択ボタン３８２が利用者に選択されると、電子ペーパー２０は、例えば図８に示したような、選択された配布資料選択ボタン３８２に対応する配布資料の内容を表示する、配布資料表示画面４０を表示する。なお、図８は、図７に示した配布資料一覧表示画面３８において「小テスト」ファイル選択ボタン３８２ｂが選択された場合における表示例を示している。
【００３８】
利用者は、この配布資料表示画面４０上で例えばスタイラスなどにより、表示されたファイルに対して文字やイラストを記入するなど編集し、そして、ファイルを更新することが可能である。例えば、図９に示したように、利用者は、「青木隆」という文字列４００ａなどを、表示されたファイルに対して記入することが可能である。
【００３９】
また、利用者は、電子ペーパー２０を操作して、更新したファイルを主催者宛てにサーバー１０を介して提出することが可能である。例えば、図７に示した配布資料一覧表示画面３８において利用者が「小テスト」ファイル選択ボタン３８２ｂを指で長押しするなどの所定の操作を行うと、電子ペーパー２０は、図１０に示したように、配布資料一覧表示画面３８において、選択されたファイルを提出するか否かを選択するための提出選択ウィンドウ３９０を重畳して表示する。この提出選択ウィンドウ３９０において提出選択ボタン３９２ａが利用者により選択されると、選択されたファイル（つまり「小テスト．ｐｄｆ」）が主催者宛てにサーバー１０を介して提出される。
【００４０】
［２−１−３．提出されたファイルの閲覧・返却］
次に、提出されたファイルの閲覧、更新、および提出者へのファイルの返却に関するＵＩについて説明を行う。
【００４１】
電子ペーパー２０は、また、アクティビティにおいて利用者（例えば主催者）宛てに別の利用者（例えば参加者）により提出されたファイルをサーバー１０からダウンロードし、表示することが可能である。なお、以下では、参加者により提出されたファイルを主催者が閲覧する例について説明を行う。
【００４２】
図１１は、上述した利用者ファイル一覧表示画面において提出ボックスタブ４２０ｃが主催者に選択された際の表示画面の例（提出ボックス一覧表示画面４２）を示している。この提出ボックス一覧表示画面４２は、主催者用の提出ボックスを一覧表示する画面である。なお、提出ボックスは、本開示におけるサブ記憶領域の一例である。また、詳細については後述するが、提出ボックスは、他の利用者から提出されたファイルを、例えばファイルの種別やファイルの名前ごとに纏めて格納するための記憶領域である。
【００４３】
提出ボックス一覧表示画面４２において、例えば「小テスト」ファイルの提出ボックス４２２ｂが選択されると、電子ペーパー２０は、例えば図１２に示したような、複数の参加者から提出された「小テスト」ファイルを一覧表示する、受信ファイル一覧表示画面４４を表示する。なお、図１２に示したように、複数の参加者から、同じ種類の配布資料が提出される場合には、受信ファイル一覧表示画面４４は、ファイル名の代わりに（またはファイル名とともに）各提出者の名前などの提出者情報を表示する。この表示例によれば、同じファイル名のファイルが複数の参加者により提出された場合であっても、当該画面において個々のファイルを区別して表示することが可能となる。
【００４４】
また、図１２に示したように、受信ファイル一覧表示画面４４は、例えば、受信ファイル選択欄４４０の下部に受信日時表示４４２を配置するなど、受信ファイル選択欄４４０と受信日時表示４４２とを関連づけて表示する。また、受信ファイル一覧表示画面４４は、該当の提出ボックスに含まれる、受信された複数のファイルの内容を一括して表示するための一括表示ボタン４４４、および、受信された各ファイルを主催者が更新した後にそれぞれの提出者に一括して返却するための一括返却ボタン４４６を含む。なお、一括返却ボタン４４６の内容については後に詳しく説明する。
【００４５】
受信ファイル一覧表示画面４４において一括表示ボタン４４４が選択されると、電子ペーパー２０ａは、受信ファイル一覧表示画面４４に一覧表示された全てのファイルの内容を、例えば図１３に示したような受信ファイル表示画面４６に一括表示する。
【００４６】
図１３に示したように、受信ファイル表示画面４６は、例えば、受信ファイル表示領域４６０、および、例えば前ファイル表示ボタン４６４ａや、次ファイル表示ボタン４６４ｂなどのファイル表示切替ボタン４６４を含む。ここで、受信ファイル表示領域４６０は、個々のファイルの内容を表示する領域である。また、受信ファイル表示領域４６０では、主催者は、表示されているファイルに対して文字やイラストなどを記入し、ファイルを更新することが可能である。例えば、図１３は、学生（参加者）により提出された小テストのファイルが教員（主催者）により採点された例を示しており、例えば「７５」という文字列４６２ａなどの、追記４６２が当該ファイルに対して主催者によりなされた例を示している。
【００４７】
また、ファイル表示切替ボタン４６４は、受信ファイル表示領域４６０に表示するファイルを主催者が切り替えるためのボタンである。例えば、図１３に示した例では、次ファイル表示ボタン４６４ｂが選択されると、電子ペーパー２０ａは、受信ファイル表示領域４６０において、提出者が「青木隆」である小テストのファイルの代わりに、提出者が「佐藤太郎」である小テストのファイルを表示する。
【００４８】
また、主催者は、受信ファイル表示画面４６において各ファイルを更新した後に、更新後のファイルをそれぞれの提出者に一括して返却することが可能である。より具体的には、提出されたファイルが主催者により更新された後に、図１２に示した受信ファイル一覧表示画面４４において一括返却ボタン４４６が主催者により選択されると、更新されたファイルが自動的に判別され、そして、それぞれの提出者に一括して返却される。
【００４９】
図１４は、一括返却ボタン４４６が主催者により選択された後における受信ファイル一覧表示画面の表示例（受信ファイル一覧表示画面４８）を示した説明図である。図１４に示した受信ファイル一覧表示画面４８は、図１２と比較して、提出者に返却されたファイルに関して、例えば、受信ファイル選択欄４４０の下部に返却日時表示４５０をさらに配置するなど、受信ファイル選択欄４４０と返却日時表示４５０とを関連づけて表示する。例えば、図１４では、提出者が「青木隆」である小テストのファイルは、「２０１４／５／３０  １３：００」に返却されたことを示している。
【００５０】
［２−１−４．返却されたファイルの閲覧］
次に、返却されたファイルの閲覧に関するＵＩについて説明を行う。
【００５１】
電子ペーパー２０は、アクティビティにおいて他の利用者から返却されたファイルをサーバー１０からダウンロードし、表示することも可能である。なお、以下では、主催者により返却されたファイルを参加者が閲覧する例について説明を行う。
【００５２】
図１５は、上述した利用者ファイル一覧表示画面において返却文書タブ３８０ｃが参加者に選択された際の表示画面の例（返却ファイル一覧表示画面５０）を示している。この返却ファイル一覧表示画面５０は、当該参加者宛てに返却されたファイルに関する提出ボックスを一覧表示する画面である。なお、詳細については後述するが、主催者から参加者に返却されたファイルに関しても、図１５に示したように、例えばファイルの種別やファイルの名前ごとに、別々の提出ボックスに格納される。
【００５３】
返却ファイル一覧表示画面５０において、例えば「小テスト」ファイルの提出ボックス５００ｂが選択されると、電子ペーパー２０ｂは、例えば図１６に示したような、主催者から返却された「小テスト」ファイルの内容を表示する、返却ファイル表示画面５２を表示する。
【００５４】
＜２−２．詳細構成＞
［２−２−１．サーバー１０］
以上、本実施形態によるＵＩについて説明した。次に、本実施形態による構成について詳細に説明する。図１７は、本実施形態によるサーバー１０の構成を示した機能ブロック図である。図１７に示したように、サーバー１０は、制御部１００、通信部１２０、および記憶部１２２を有する。
【００５５】
（２−２−１−１．制御部１００）
制御部１００は、サーバー１０に内蔵される、後述するＣＰＵ（Ｃｅｎｔｒａｌ  Ｐｒｏｃｅｓｓｉｎｇ  Ｕｎｉｔ）１５０、ＲＡＭ（Ｒａｎｄｏｍ  Ａｃｃｅｓｓ  Ｍｅｍｏｒｙ）１５４などのハードウェアを用いて、サーバー１０の動作を全般的に制御する。また、図１７に示したように、制御部１００は、データベース管理部１０２、配布部１０４、転送部１０６、返却部１０８、および同期部１１０を有する。
【００５６】
（２−２−１−２．データベース管理部１０２）
データベース管理部１０２は、後述するアクティビティグループＤＢ１２４またはアクティビティＤＢ１２６に対するデータの記録、更新、または削除などの操作を行う。例えば、データベース管理部１０２は、作成者が操作する端末２２から配布資料が受信（アップロード）された場合に、受信された配布資料をアクティビティＤＢ１２６における、主催者のユーザー領域に記録する。ここで、ユーザー領域は、本開示における記憶領域の一例である。
【００５７】
また、データベース管理部１０２は、後述する配布部１０４、転送部１０６、または返却部１０８の制御に応じて、アクティビティＤＢ１２６の登録内容を更新する。
【００５８】
‐アクティビティグループＤＢ１２４
アクティビティグループＤＢ１２４は、アクティビティグループとアクティビティとが対応づけて登録されるデータベースである。アクティビティグループＤＢ１２４では、例えば、（１）アクティビティグループのタイトル、（２）アクティビティグループの作成者、（３）アクティビティグループの主催者、などが対応づけて記録される。なお、アクティビティグループＤＢ１２４には、基本的には、例えば図３に示したアクティビティグループ作成画面、および図５に示したアクティビティ作成画面に対する作成者の入力内容に基づいて生成されたデータが登録される。
【００５９】
‐アクティビティＤＢ１２６
アクティビティＤＢ１２６は、各アクティビティの内容や、各アクティビティに対応づけて登録されたファイルを記憶するデータベースである。アクティビティＤＢ１２６では、例えば、（１）アクティビティのタイトル、（２）アクティビティが属するアクティビティグループの識別情報、（３）アクティビティの関連情報（例えば、アクティビティの開催期間、アクティビティの開催場所、配布資料の提出期限、アクティビティに関する説明など）、（４）アクティビティの作成者、（５）アクティビティの主催者、（６）アクティビティの参加者リスト、（７）配布資料、（８）個人資料、（９）その他のファイル、などが対応づけて記録される。ここで、配布資料、個人資料、および、その他のファイルは、アクティビティＤＢ１２６における、利用者（主催者または各参加者）ごとのユーザー領域に記録される。より具体的には、配布資料、個人資料、および、その他のファイルは、利用者ごとのユーザー領域における、該当のアクティビティ用の記憶領域に記録され得る。また、詳細については後述するが、配布資料、個人資料、および、その他のファイルは、例えば複製日時、更新日時、返却日時などの日時情報や、提出者を示す提出者情報などと対応づけてアクティビティＤＢ１２６に登録される。
【００６０】
なお、配布資料は、例えばアクティビティの作成時にアクティビティと対応づけてアクティビティＤＢ１２６に登録されたファイルである。配布資料は、後述する配布部１０４の制御により、アクティビティの各参加者のユーザー領域に（自動的に）複製される。また、登録時の配布資料のファイルは、変更されないように、アクティビティＤＢ１２６におけるマスターファイル保存領域に記録され得る。また、個人資料は、アクティビティの利用者（主催者または参加者）ごとに作成されるファイルである。この個人資料は、原則として、他の利用者が閲覧できない提出ボックスに記録される。
【００６１】
（２−２−１−３．配布部１０４）
配布部１０４は、アクティビティと対応づけて登録された配布資料を、当該アクティビティに参加している各参加者のユーザー領域にそれぞれ複製する。
【００６２】
ここで、図１８を参照して上記の機能についてより詳細に説明する。図１８は、アクティビティＤＢ１２６における、配布部１０４による配布資料の配布（複製）の例を示した説明図である。なお、図１８では、「アクティビティＡ」というアクティビティに、「参加者Ａ」および「参加者Ｂ」の２人の参加者が参加していることを前提としている。また、図１８では、例えば作成者により、「アクティビティＡ」に対応づけて「小テスト」というファイルが配布資料として登録されていることを前提としている。つまり、図１８に示したように、「アクティビティＡ」に関する主催者のユーザー領域１２８０（における配布資料領域１２８２）には、「小テスト」のファイル６０ａが記録されていることを前提としている。
【００６３】
図１８に示したように、配布部１０４は、ファイル６０ａを、「アクティビティＡ」に関する参加者Ａのユーザー領域１３００ａ（における配布資料領域１３０２ａ）においてファイル６０ｂとして複製する。同様に、配布部１０４は、ファイル６０ａを、「アクティビティＡ」に関する参加者Ｂのユーザー領域１３０２ｂ（における配布資料領域１３０２ｂ）においてファイル６０ｃとして複製する。
【００６４】
（２−２−１−４．転送部１０６）
‐ファイルの複製
転送部１０６は、アクティビティに参加している利用者による別の利用者へのファイルの複製指示情報が電子ペーパー２０または端末２２から受信された場合に、受信された複製指示情報に基づいて、複製元の利用者のユーザー領域に記録されている該当のファイルを、複製先として指定された利用者のユーザー領域に複製する。なお、上記のファイルは、配布資料、個人資料、またはその他のファイルのいずれであってもよい。
【００６５】
また、転送部１０６は、複製が指示されたファイルを、複製先のユーザー領域における、当該ファイルのファイル種別に応じた提出ボックスに複製することが可能である。例えば、転送部１０６は、まず、複製が指示されたファイルに関して、例えば配布資料、個人資料、またはその他のファイルといったファイル種別を判別する。そして、転送部１０６は、複製先のユーザー領域内に設けられた、判別したファイル種別に応じた提出ボックスに当該ファイルを複製する。一例として、複製が指示されたファイルのファイル種別が配布資料である場合には、転送部１０６は、複製先のユーザー領域における当該ファイルのファイル名の提出ボックスに、当該ファイルを複製する。
【００６６】
ここで、図１９を参照して、上記の機能についてより詳細に説明する。図１９は、アクティビティＤＢ１２６における、転送部１０６によるファイルの複製の例を示した説明図である。なお、図１９では、図１８に示したアクティビティＤＢ１２６の登録状態を前提としている。また、図１９では、主催者から配布されたファイル６０ｂが参加者Ａによりファイル６２ａに更新され、かつ、ファイル６０ｃが参加者Ｂによりファイル６２ｂに更新されたことを前提としている。
【００６７】
例えば参加者Ａにより更新後のファイル６２ａの主催者への提出操作がなされた場合、図１９に示したように、転送部１０６は、ファイル６２ａを、「アクティビティＡ」に関する主催者のユーザー領域１２８０においてファイル６２ｃとして複製する。より具体的には、転送部１０６は、まず、ファイル６２ａが配布資料であることを判別する。次に、転送部１０６は、「アクティビティＡ」に関する主催者のユーザー領域１２８０において、ファイル６２ａの名前である「小テスト」という名前の提出ボックス１２８８を生成する。そして、転送部１０６は、生成した提出ボックス１２８８において、ファイル６２ａをファイル６２ｃとして複製する。
【００６８】
同様に、参加者Ｂにより更新後のファイル６２ｂの主催者への提出操作がなされた場合、図１９に示したように、転送部１０６は、「アクティビティＡ」に関する主催者のユーザー領域１２８０における「小テスト」という名前の提出ボックス１２８８において、ファイル６２ｂをファイル６２ｄとして複製する。
【００６９】
‐提出者情報の記録
また、転送部１０６は、ファイル６２ｃおよびファイル６２ｄを、各ファイルの提出者を示す提出者情報と対応付けて提出ボックス１２８８に記録することが可能である。この記録例によれば、例えば図１９に示した例のように、複数の提出者により同じファイル名のファイルが提出された場合であっても、サーバー１０は、ファイル名自体を変更することなく、個々のファイルを区別することができる。また、ファイル名が変更されないので、当初のファイル名が後に不明になることを防止できる。
【００７０】
（２−２−１−５．返却部１０８）
返却部１０８は、アクティビティに参加している各参加者のユーザー領域から主催者のユーザー領域へ複製されたファイルが主催者により更新された否かを判別し、更新されたことが判別されたファイルを主催者のユーザー領域から複製元の参加者のユーザー領域へ複製する。より具体的には、返却部１０８は、まず、ファイルの返却を指示する返却指示情報が、主催者が操作する電子ペーパー２０または端末２２から受信された場合に、受信された返却指示情報により指定されたファイルの更新日時および返却履歴に基づいて、該当のファイルが返却対象であるか否かを判別する。例えば、返却部１０８は、指定されたファイルに関して、返却日時がアクティビティＤＢ１２６に未登録であり、かつ、参加者のユーザー領域からの当該ファイルの複製（受信）日時よりも当該ファイルの更新日時が新しい場合には、当該ファイルが返却対象であると判別する。また、返却部１０８は、指定されたファイルに関して、返却日時がアクティビティＤＢ１２６に登録済みであり、かつ、参加者のユーザー領域への当該ファイルの直近の返却日時よりも当該ファイルの更新日時が新しい場合には、当該ファイルが返却対象であると判別する。
【００７１】
そして、返却部１０８は、返却対象であると判別された各ファイルに関して、当該ファイルに対応づけてアクティビティＤＢ１２６に記録されている提出者情報を抽出し、そして、抽出した提出者情報が示す参加者のユーザー領域へ当該ファイルを複製する。
【００７２】
ここで、図２０を参照して、上記の機能についてより詳細に説明する。図２０は、アクティビティＤＢ１２６における、返却部１０８によるファイルの返却の例を示した説明図である。なお、図２０では、図１９に示したアクティビティＤＢ１２６の登録状態を前提としている。また、図２０では、主催者に提出された小テストのファイル６２ｃがファイル６４ａに、また、小テストのファイル６２ｄがファイル６４ｂに、それぞれ主催者により更新されたことを前提としている。
【００７３】
例えば、主催者により更新後の小テストのファイル６４の一括返却操作がなされた場合、返却部１０８は、まず、ファイル６４ａを返却対象であると判別し、そして、図２０に示したように、「アクティビティＡ」に関する参加者Ａのユーザー領域１３００ａにおいて、ファイル６４ａをファイル６４ｃとして複製する。より具体的には、返却部１０８は、「アクティビティＡ」に関する参加者Ａのユーザー領域１３００ａにおける返却文書領域１３０６ａにおいて、ファイル６４ａをファイル６４ｃとして複製する。なお、返却文書領域１３０６は、主催者または他の参加者から返却（複製）されたファイルが格納される提出ボックス群の一例である。
【００７４】
同様に、返却部１０８は、ファイル６４ｂを返却対象であると判別し、そして、図２０に示したように、「アクティビティＡ」に関する参加者Ｂのユーザー領域１３００ｂにおける返却文書領域１３０６ｂにおいて、ファイル６４ｂをファイル６４ｄとして複製する。
【００７５】
このように、返却部１０８は、主催者により更新されたファイルを各参加者のユーザー領域へ複製することにより、更新されたファイルの返却を実現する。この返却例によれば、主催者は一括返却操作を一回行うだけで、複数の参加者により提出された同じ種類の複数のファイルのうち主催者により更新されたファイルをサーバー１０に自動的に判別させ、そして、それぞれの参加者に返却することが可能であり、利便性が高い。
【００７６】
なお、図２０に示したように、例えば参加者Ａのユーザ領域１３０ａにおいて、主催者に提出された小テストのファイル６２ａと、主催者から返却された小テストのファイル６４ｃとは異なる領域に格納されている。より具体的には、ファイル６２ａは配布資料領域１３０２ａに、また、ファイル６４ｃは返却文書領域１３０６ａにそれぞれ格納されている。このように、提出したファイルと返却されたファイルとは異なる領域に格納されるので、ファイルが返却されても、提出したファイル（例えばファイル６２ａ）は上書きされることがない。このため、参加者Ａは、ファイルの返却後であっても、提出したファイルを再度編集することができる。
【００７７】
（２−２−１−６．同期部１１０）
同期部１１０は、本開示における表示制御部の一例である。同期部１１０は、例えばアクティビティの閲覧や更新を行うための同期要求が電子ペーパー２０から受信された場合に、アクティビティＤＢ１２６の登録内容の同期を該当の電子ペーパー２０に許可する。ここで、同期とは、例えば、電子ペーパー２０の記憶内容をアクティビティＤＢ１２６の登録状態と（一部）合せることである。
【００７８】
これにより、電子ペーパー２０は、同期後に、アクティビティＤＢ１２６の登録内容を表示することが可能になる。また、同期後に、例えば、電子ペーパー２０においてアクティビティＤＢ１２６の登録内容の更新操作がなされた場合には、データベース管理部１０２は、アクティビティＤＢ１２６の登録内容を、電子ペーパー２０において更新された通りに更新する。
【００７９】
（２−２−１−７．通信部１２０）
通信部１２０は、本開示における受信部の一例である。通信部１２０は、例えば通信網２４等を介して、電子ペーパー２０または端末２２との間で情報の送受信を行う。例えば、通信部１２０は、同期要求を電子ペーパー２０から受信する。また、通信部１２０は、同期後に、アクティビティＤＢ１２６の登録内容を電子ペーパー２０に送信させる。
【００８０】
（２−２−１−８．記憶部１２２）
記憶部１２２は、例えば、アクティビティグループＤＢ１２４、およびアクティビティＤＢ１２６などの、各種のデータを記憶することが可能である。
【００８１】
なお、本実施形態によるサーバー１０の構成は、上述した構成に限定されない。例えば、アクティビティグループＤＢ１２４、またはアクティビティＤＢ１２６は、記憶部１２２に記憶される代わりに、サーバー１０と通信可能な他の装置に記憶されることも可能である。
【００８２】
［２−２−２．電子ペーパー２０］
次に、本実施形態による電子ペーパー２０の構成について、図２１を参照して説明する。図２１に示したように、電子ペーパー２０は、制御部２００、通信部２２０、操作表示部２２２、および記憶部２２４を有する。
【００８３】
（２−２−２−１．制御部２００）
制御部２００は、電子ペーパー２０に内蔵される例えばＣＰＵ、ＲＡＭなどのハードウェアを用いて、電子ペーパー２０の動作を全般的に制御する。また、図２１に示したように、制御部２００は、同期要求部２０２、表示制御部２０４、および送信制御部２０６を有する。
【００８４】
（２−２−２−２．同期要求部２０２）
同期要求部２０２は、サーバー１０に対してアクティビティＤＢ１２６の登録内容の同期を要求する。例えば、同期要求部２０２は、電子ペーパー２０の利用者が参加しているアクティビティに関するアクティビティＤＢ１２６の登録内容のダウンロードをサーバー１０に要求する。
【００８５】
なお、一般的には、後述する記憶部２２４の容量は、アクティビティＤＢ１２６の容量よりも小さい。また、記憶部２２４の容量の一部は、例えばＯＳ（Ｏｐｅｒａｔｉｎｇ  Ｓｙｓｔｅｍ）などの各種のアプリケーションやデータの保存領域として利用される。このような理由から、通常、記憶部２２４において、アクティビティの記憶容量の上限値が予め設定されている。
【００８６】
このため、同期要求部２０２は、設定された上限値を超えないように、「アクティブでない」アクティビティを記憶部２２４から削除しながら、アクティビティＤＢ１２６の登録内容をサーバー１０からダウンロードする。
【００８７】
‐キャッシュアウト処理
より具体的には、同期要求部２０２は、まず、「アクティブでない」アクティビティを記憶部２２４から一時的に削除する。例えば、同期要求部２０２は、まず、記憶部２２４に記憶されているアクティビティに関して、各アクティビティに添付されたファイル群の閲覧日時の中から最も新しい閲覧日時を抽出し、そして、抽出された閲覧日時が古い順にアクティビティを並べる。続いて、同期要求部２０２は、並べられた順が最も高いアクティビティを削除する。そして、同期要求部２０２は、ダウンロード予定の次のアクティビティのための容量が記憶部２２４において確保できなければ次のアクティビティを削除することを繰り返す。
【００８８】
（２−２−２−３．表示制御部２０４）
表示制御部２０４は、サーバー１０から受信されたアクティビティやアクティビティに添付されたファイルの内容を表示する画面を、後述する操作表示部２２２に表示させる。
【００８９】
（２−２−２−４．送信制御部２０６）
送信制御部２０６は、後述する操作表示部２２２に対して利用者により入力された各種指示情報をサーバー１０へ通信部２２０に送信させる。例えば、送信制御部２０６は、利用者（主催者）により入力された、更新後のファイルを各参加者へ一括返却するための返却指示情報をサーバー１０へ通信部２２０に送信させる。また、送信制御部２０６は、利用者により入力された、作成または更新されたファイルを別の利用者へ提出するための複製指示情報をサーバー１０へ送信させる。
【００９０】
（２−２−２−５．通信部２２０）
通信部２２０は、通信網２４を介して、他の装置との間で情報の送受信を行う。例えば、通信部２２０は、送信制御部２０６の制御により、利用者により入力された返却指示情報などの各種の指示情報をサーバー１０へ送信する。また、通信部２２０は、同期要求部２０２の制御により、アクティビティＤＢ１２６の登録内容をサーバー１０から受信する。
【００９１】
（２−２−２−６．操作表示部２２２）
操作表示部２２２は、例えばタッチパネル型のディスプレイから構成される。この操作表示部２２２は、表示制御部２０４の制御に従って、例えば図６に示したアクティビティ表示選択画面などの各種の表示画面を表示する。
【００９２】
また、操作表示部２２２は、利用者による電子ペーパー２０に対する各種の入力操作を受け付ける。例えば、操作表示部２２２は、図１２に示した受信ファイル一覧表示画面４４において、主催者による更新後のファイルを一括返却する操作（図１２に示した例では、一括返却ボタン４４６の選択）を受け付ける。
【００９３】
（２−２−２−７．記憶部２２４）
記憶部２２４は、例えば、サーバー１０からダウンロードされたアクティビティなどの各種データや、ＯＳなどの各種ソフトウェアを記憶する。
【００９４】
＜２−３．動作＞
以上、本実施形態による構成について説明した。続いて、本実施形態による動作について、図２２〜図２６を参照して説明する。なお、ここでは、ある人物（作成者）がアクティビティグループおよびアクティビティの作成を希望している場面を前提とする。また、以下では、主催者により配布された配布資料を参加者が更新した後に主催者へ提出し、そして、提出された配布資料を主催者が更新した後に提出者である参加者へ返却する場面における動作例について説明する。
【００９５】
［２−３−１．全体の動作］
図２２は、本実施形態による動作の一部を示したシーケンス図である。図２２に示したように、まず、作成者は、端末２２によりサーバー１０へアクセスし、そして、例えば図３に示したアクティビティグループ作成画面に対して該当の情報を入力する。そして、端末２２は、アクティビティグループの作成要求をサーバー１０へ送信する（Ｓ１０１）。
【００９６】
その後、サーバー１０のデータベース管理部１０２は、Ｓ１０１で受信された作成要求に基づいてアクティビティグループを生成し、そして、生成したアクティビティグループをアクティビティグループＤＢ１２４に記録する（Ｓ１０３）。
【００９７】
その後、作成者は、端末２２において、例えば図５に示したアクティビティ作成画面に対して、例えばアクティビティが配属されるアクティビティグループ、アクティビティのタイトル、アクティビティの主催者、およびアクティビティの参加者などの情報を入力する。また、作成者は、当該アクティビティに添付する配布資料を選択する。そして、端末２２は、入力された情報、および選択されたファイルをサーバー１０へ送信する（Ｓ１０５）。
【００９８】
その後、サーバー１０のデータベース管理部１０２は、Ｓ１０５で受信された作成要求に基づいて、指定されたアクティビティグループと対応づけてアクティビティを生成する。そして、データベース管理部１０２は、アクティビティグループＤＢ１２４の登録内容を更新し、かつ、生成したアクティビティをアクティビティＤＢ１２６に記録する（Ｓ１０７）。
【００９９】
続いて、データベース管理部１０２は、主催者のユーザー領域における、Ｓ１０７で生成されたアクティビティの配布資料の提出ボックスに、Ｓ１０５で受信されたファイルを記録する（Ｓ１０９）。
【０１００】
続いて、配布部１０４は、Ｓ１０９で記録された配布資料を主催者のユーザー領域から、該当のアクティビティに参加している各参加者のユーザー領域における、該当のアクティビティの配布資料の提出ボックスに複製する（Ｓ１１１）。
【０１０１】
ここで、該当のアクティビティに参加しているある参加者が、該当のアクティビティの配布資料などの登録内容の閲覧を希望しているとする。この場合、この参加者は、電子ペーパー２０ｂを操作して、アクティビティの閲覧要求の入力を行う。そして、電子ペーパー２０ｂの同期要求部２０２は、サーバー１０に対してアクティビティＤＢ１２６の登録内容の同期を要求する（Ｓ１１３）。そして、同期要求部２０２は、後述する「キャッシュアウト処理」を行う（Ｓ１１５）。
【０１０２】
その後、サーバー１０の同期部１１０は、アクティビティＤＢ１２６の登録内容の同期を電子ペーパー２０ｂに許可する（Ｓ１１７）。
【０１０３】
次に、図２３を参照して、Ｓ１１７より後の動作について説明する。図２３に示したように、Ｓ１１７の後、電子ペーパー２０ｂの表示制御部２０４は、参加者による配布資料の閲覧操作に基づいて、例えばＳ１１１で複製された配布資料など、該当のアクティビティの配布資料の中から参加者に選択された配布資料を、例えば図８に示したような配布資料表示画面において表示させる（Ｓ１２１）。
【０１０４】
その後、Ｓ１２１で表示された配布資料に対する編集を参加者が希望する場合、参加者は、配布資料表示画面において、例えばスタイラスなどを用いて編集を行う。そして、サーバー１０のデータベース管理部１０２は、当該参加者のユーザー領域において、該当の配布資料を編集された内容に更新する（Ｓ１２３）。
【０１０５】
ここで、参加者が、Ｓ１２３で更新された配布資料を主催者へ提出することを希望しているとする。この場合、この参加者は、電子ペーパー２０ｂを操作して、例えば図１０に示したような配布資料一覧表示画面において、更新後の配布資料の提出の操作を行う（Ｓ１２５）。
【０１０６】
その後、サーバー１０の転送部１０６は、当該参加者により選択された配布資料を当該参加者のユーザー領域から、主催者のユーザー領域における該当のアクティビティの提出ボックスに複製する（Ｓ１２７）。
【０１０７】
ここで、該当のアクティビティの主催者が、複数の参加者により提出されたファイルを閲覧することを希望しているとする。この場合、主催者は、電子ペーパー２０ａを操作して、まず、アクティビティの閲覧要求の入力を行う。なお、図２３に示したＳ１２９〜Ｓ１３３の動作は、上述したＳ１１３〜Ｓ１１７と概略同様である。
【０１０８】
その後、電子ペーパー２０ａの表示制御部２０４は、主催者による、各参加者から提出された配布資料の閲覧操作に基づいて、例えばＳ１２７で複製されたファイル（配布資料）の内容を操作表示部２２２に表示させる（Ｓ１３５）。
【０１０９】
その後、Ｓ１３５で表示されたファイルに対する編集を主催者が希望する場合、主催者は、操作表示部２２２において、例えばスタイラスなどを用いて編集を行う。そして、サーバー１０のデータベース管理部１０２は、主催者のユーザー領域において、該当のファイルを編集された内容に更新する（Ｓ１３７）。
【０１１０】
ここで、主催者が、Ｓ１３７で更新した各ファイルをそれぞれ、更新前のファイルを提出した各参加者へ返却することを希望しているとする。この場合、主催者は、電子ペーパー２０ａを操作して、例えば図１２に示した受信ファイル一覧表示画面において、更新後のファイルを一括返却する操作を行う（Ｓ１３９）。
【０１１１】
次に、図２４を参照して、Ｓ１３９より後の動作について説明する。図２４に示したように、Ｓ１３９の後、サーバー１０の返却部１０８は、後述する「返却ファイルの判別処理」を行う（Ｓ１４１）。
【０１１２】
続いて、返却部１０８は、Ｓ１４１において返却対象と判別した各ファイルに関して、まず、当該ファイルに対応づけてアクティビティＤＢ１２６に記録されている提出者情報を抽出する。そして、返却部１０８は、主催者のユーザー領域から、抽出した提出者情報が示す参加者のユーザー領域における該当のアクティビティの提出ボックスに当該ファイルを複製する（Ｓ１４３）。
【０１１３】
ここで、電子ペーパー２０ｂを操作している参加者が、該当のアクティビティにおいて主催者により返却されたファイルを閲覧することを希望しているとする。この場合、電子ペーパー２０ｂの表示制御部２０４は、当該参加者による返却ファイルの閲覧操作に基づいて、Ｓ１４３で複製されたファイルの内容を、例えば図１６に示したような返却ファイル表示画面において表示させる（Ｓ１４５）。
【０１１４】
［２−３−２．キャッシュアウト処理］
以上、全体の動作について説明した。次に、Ｓ１１５（またはＳ１３１）における「キャッシュアウト処理」の具体的な動作について、図２５を参照して説明する。図２５に示したように、まず、電子ペーパー２０の同期要求部２０２は、利用者の閲覧対象の全てのアクティビティのうち１件をサーバー１０からダウンロードし、そして、記憶部２２４における空き領域に記録する（Ｓ２０１）。ここで、閲覧対象の全てのアクティビティは、例えば、利用者が参加している全てのアクティビティであってもよい。
【０１１５】
続いて、同期要求部２０２は、閲覧対象の全てのアクティビティのダウンロードが終了したか否かを判定する（Ｓ２０３）。全てのアクティビティのダウンロードが終了している場合には（Ｓ２０３：Ｙｅｓ）、電子ペーパー２０は、キャッシュアウト処理を終了する。
【０１１６】
一方、まだダウンロードされていないアクティビティが存在する場合には（Ｓ２０３：Ｎｏ）、同期要求部２０２は、アクティビティのダウンロード量が、（記憶部２２４におけるアクティビティの記憶容量の上限値として設定された）設定上限値に達したか否かを判定する（Ｓ２０５）。ダウンロード量が設定上限値に達している場合には（Ｓ２０５：Ｙｅｓ）、電子ペーパー２０は、キャッシュアウト処理を終了する。
【０１１７】
一方、ダウンロード量が設定上限値に達していない場合には（Ｓ２０５：Ｎｏ）、同期要求部２０２は、記憶部２２４の空き領域が無くなっているか否かを確認する（Ｓ２０７）。空き領域が残っている場合には（Ｓ２０７：Ｎｏ）、同期要求部２０２は、再びＳ２０１の動作を行う。
【０１１８】
一方、空き領域が無くなっている場合には（Ｓ２０７：Ｙｅｓ）、同期要求部２０２は、まず、記憶部２２４に記憶されているアクティビティに関して、各アクティビティに添付されたファイル群の閲覧日時の中から最も新しい閲覧日時を抽出し、そして、抽出された閲覧日時が古い順に、アクティビティを並べる（Ｓ２０９）。
【０１１９】
続いて、同期要求部２０２は、Ｓ２０９で並べられたアクティビティのうち順位が最も高いアクティビティを記憶部２２４から削除する（Ｓ２１１）。
【０１２０】
その後、同期要求部２０２は、ダウンロード予定のアクティビティのうち次のアクティビティをダウンロードするための空き容量が記憶部２２４に確保されているか否かを判定する（Ｓ２１３）。
【０１２１】
空き容量が確保されていない場合には（Ｓ２１３：Ｎｏ）、同期要求部２０２は、再びＳ２１１の動作を行う。一方、空き容量が確保されている場合には（Ｓ２１３：Ｙｅｓ）、同期要求部２０２は、再びＳ２０１の動作を行う。
【０１２２】
［２−３−３．返却ファイルの判別処理］
次に、Ｓ１４１における「返却ファイルの判別処理」の具体的な動作について、図２６を参照して説明する。図２６に示したように、まず、サーバー１０の返却部１０８は、主催者により一括返却操作がなされた対象の提出ボックスに含まれる全てのファイルに関して、判別が終了したか否かを判定する（Ｓ３０１）。全てのファイルの判別が終了した場合には（Ｓ３０１：Ｙｅｓ）、サーバー１０は、「返却ファイルの判別処理」を終了する。
【０１２３】
一方、まだ判別していないファイルが存在する場合には（Ｓ３０１：Ｎｏ）、返却部１０８は、まず、判別していないファイルのうち１件を抽出する（Ｓ３０３）。
【０１２４】
次に、返却部１０８は、Ｓ３０３で抽出されたファイルに関して、返却日時がアクティビティＤＢ１２６に登録されているか否かを確認する（Ｓ３０５）。返却日時がアクティビティＤＢ１２６に登録されている場合には（Ｓ３０５：Ｙｅｓ）、返却部１０８は、次に、該当のファイルの返却日時よりも該当のファイルの更新日時の方が新しいか否かを判定する（Ｓ３０７）。該当のファイルの返却日時よりも該当のファイルの更新日時の方が新しい場合には（Ｓ３０７：Ｙｅｓ）、返却部１０８は、該当のファイルを返却対象と判別する（Ｓ３０９）。そして、返却部１０８は、再びＳ３０１の動作を行う。
【０１２５】
一方、該当のファイルの返却日時よりも該当のファイルの更新日時の方が古い場合には（Ｓ３０７：Ｎｏ）、返却部１０８は、該当のファイルを返却対象外と判別する（Ｓ３１１）。そして、返却部１０８は、再びＳ３０１の動作を行う。
【０１２６】
Ｓ３０５において、返却日時がアクティビティＤＢ１２６に登録されていない場合には（Ｓ３０５：Ｎｏ）、返却部１０８は、次に、該当のファイルの複製（受信）日時よりも該当のファイルの更新日時の方が新しいか否かを判定する（Ｓ３１３）。該当のファイルの複製日時よりも該当のファイルの更新日時の方が新しい場合には（Ｓ３１３：Ｙｅｓ）、返却部１０８は、該当のファイルを返却対象と判別する（Ｓ３０９）。そして、返却部１０８は、再びＳ３０１の動作を行う。
【０１２７】
一方、該当のファイルの複製日時よりも該当のファイルの更新日時の方が古い場合には（Ｓ３１３：Ｎｏ）、返却部１０８は、該当のファイルを返却対象外と判別する（Ｓ３１１）。そして、返却部１０８は、再びＳ３０１の動作を行う。
【０１２８】
＜２−４．効果＞
［２−４−１．効果１］
以上、例えば図１７、図２２〜図２４等を参照して説明したように、本実施形態によるサーバー１０は、アクティビティの複数の参加者の各々のユーザー領域から当該アクティビティの主催者のユーザー領域へ複製された複数のファイルが主催者により更新されたか否かを判別し、そして、更新されたことが判別されたファイルを、当該ファイルの複製元である参加者のユーザー領域へ複製する。このため、サーバー１０は、主催者へ提出された複数のファイルのうち主催者により更新されたファイルを自動的に判別し、判別したファイルを当該ファイルを提出した参加者へ返却することが出来るので、利便性が高い。
【０１２９】
例えば、複数の学生（参加者）により提出された同じ種類の配布資料を教員（主催者）が添削した後に返却する場面では、教員は例えば電子ペーパー２０において一括返却操作を一回行うだけで、添削済みの各ファイルを、提出した学生一人一人に返却することが可能である。このため、公知の技術のような例えば学生の人数分の返却操作を行う必要がなく、教員の返却作業の負荷が大きく軽減される。
【０１３０】
［２−４−２．効果２］
また、サーバー１０は、アクティビティグループＤＢ１２４およびアクティビティＤＢ１２６において、主催者から配布された配布資料群、当該アクティビティにおける各利用者の個人資料、および、当該アクティビティにおける提出ファイルまたは返却ファイルを、アクティビティごとに纏めて管理することができる。例えば、サーバー１０は、ある講義用の教材（配布資料）とともに、各参加者の個人用の資料、および利用者（主催者または参加者）間で提出・返却されたファイルを纏めて継続的に管理することができる。このため、例えば大学における講義などの、一般の一対多の講義型の学習活動をより充実させることが可能となる。
【０１３１】
［２−４−３．効果３］
また、サーバー１０は、利用者のユーザー領域間で複製されるファイルに関して、ファイル種別を判別し、そして、複製先のユーザー領域における、当該ファイルのファイル種別に応じた提出ボックスに当該ファイルを複製する。また、当該ファイルのファイル種別が配布資料である場合には、当該ファイルのファイル名の提出ボックスに当該ファイルを複製する。
【０１３２】
つまり、サーバー１０は、他の利用者により提出されたファイルを、ファイルの種別およびファイル名により、利用者のユーザー領域におけるＮ＋２個の提出ボックス（Ｎ個の配布資料、個人資料、およびその他のファイル）に自動的にフォルダリングする。このため、例えば、複数の学生から複数の種類のファイルが教員に提出される場面では、教員のユーザー領域において、提出されたファイルが、ファイル種別（または配布資料の名前）ごとに異なる提出ボックスに格納される。従って、教員は、例えば電子ペーパー２０に表示される提出ボックスの種類を確認するだけで、添削対象のファイルを容易に選別することが可能となる。
【０１３３】
［２−４−４．効果４］
また、サーバー１０は、利用者のユーザー領域間で複製されるファイルに関して、当該ファイルと対応づけて、例えば提出者の名前などの提出者情報をアクティビティＤＢ１２６に記録する。このため、例えば多数の参加者により同じファイル名のファイルが主催者に提出される場合であっても、サーバー１０は、ファイル名自体を変更することなく、個々のファイルを区別することができる。また、ファイル名が変更されないので、当初のファイル名が後に不明になることを防止できる。
【０１３４】
例えば、ある授業を履修している学生全員に配布された「アンケート．ｐｄｆ」という配布資料が、各学生により更新された後に教員に提出される場合には、教員は、提出された個々のファイルに関して、当初のファイル名（つまり「アンケート．ｐｄｆ」）、および、各ファイルを提出した学生を表示画面上で識別することができる。
【０１３５】
＜＜３．ハードウェア構成＞＞
次に、本実施形態によるサーバー１０のハードウェア構成について、図２７を参照して説明する。図２７に示したように、サーバー１０は、ＣＰＵ１５０、ＲＯＭ（Ｒｅａｄ  Ｏｎｌｙ  Ｍｅｍｏｒｙ）１５２、ＲＡＭ１５４、内部バス１５６、インターフェース１５８、ストレージ装置１６０、および通信装置１６２を備える。
【０１３６】
＜３−１．ＣＰＵ１５０＞
ＣＰＵ１５０は、演算処理装置および制御装置として機能し、各種プログラムに従ってサーバー１０内の動作全般を制御する。また、ＣＰＵ１５０は、サーバー１０において制御部１００の機能を実現する。なお、ＣＰＵ１５０は、マイクロプロセッサなどのプロセッサにより構成される。
【０１３７】
＜３−２．ＲＯＭ１５２＞
ＲＯＭ１５２は、ＣＰＵ１５０が使用するプログラムや演算パラメータなどの制御用データなどを記憶する。
【０１３８】
＜３−３．ＲＡＭ１５４＞
ＲＡＭ１５４は、例えば、ＣＰＵ１５０により実行されるプログラムなどを一時的に記憶する。
【０１３９】
＜３−４．内部バス１５６＞
内部バス１５６は、ＣＰＵバスなどから構成される。この内部バス１５６は、ＣＰＵ１５０、ＲＯＭ１５２、およびＲＡＭ１５４を相互に接続する。
【０１４０】
＜３−５．インターフェース１５８＞
インターフェース１５８は、ストレージ装置１６０、および通信装置１６２を、内部バス１５６と接続する。例えばストレージ装置１６０は、このインターフェース１５８および内部バス１５６を介して、ＣＰＵ１５０との間でデータをやり取りする。
【０１４１】
＜３−６．ストレージ装置１６０＞
ストレージ装置１６０は、データ格納用の装置である。ストレージ装置１６０は、例えば、記憶媒体、記憶媒体にデータを記録する記録装置、記憶媒体からデータを読み出す読出し装置、または記憶媒体に記録されたデータを削除する削除装置などを含む。
【０１４２】
＜３−７．通信装置１６２＞
通信装置１６２は、例えば公衆網やインターネットなどの通信網に接続するための通信デバイス等で構成された通信インターフェースである。また、通信装置１６２は、無線ＬＡＮ対応通信装置、ＬＴＥ（Ｌｏｎｇ  Ｔｅｒｍ  Ｅｖｏｌｕｔｉｏｎ）対応通信装置、または有線による通信を行うワイヤー通信装置であってもよい。
【０１４３】
＜＜４．変形例＞＞
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１４４】
例えば、上記の説明では、図１８〜図２０に示したように、アクティビティＤＢ１２６において、各利用者のユーザー領域の中に個々のアクティビティのための記憶領域が設けられる例を示したが、かかる例に限定されない。例えば、アクティビティＤＢ１２６では、アクティビティごとに、当該アクティビティの全利用者用の記憶領域が設けられており、かつ、この利用者用の記憶領域の中に、対応するアクティビティに参加している各利用者（主催者および各参加者）のユーザー領域がそれぞれ設けられていてもよい。
【０１４５】
また、本実施形態によれば、ＣＰＵ１５０、ＲＯＭ１５２、およびＲＡＭ１５４などのハードウェアを、上述したサーバー１０の各構成と同等の機能を発揮させるためのコンピュータプログラムも提供可能である。また、該コンピュータプログラムが記録された記録媒体も提供される。
【０１４６】
なお、以下のような構成も本開示の技術的範囲に属する。
（１）
サブグループに登録されている複数の第１のユーザーの各々のための記憶領域から前記サブグループに登録されている第２のユーザーのための記憶領域へ複製された複数の第１のファイルが前記第２のユーザーにより更新されたか否かを判別し、更新されたことが判別された前記第１のファイルを前記第２のユーザーのための記憶領域から複製元の前記第１のユーザーのための記憶領域へ複製する返却部、
を備える、情報処理装置。
（２）
前記返却部は、前記第１のファイルの更新日時に基づいて、前記複数の第１のファイルが前記第２のユーザーにより更新されたか否かを判別する、前記（１）に記載の情報処理装置。
（３）
前記返却部は、さらに、前記第１のファイルの返却履歴に基づいて、前記複数の第１のファイルが前記第２のユーザーにより更新されたか否かを判別する、前記（２）に記載の情報処理装置。
（４）
前記返却部は、前記複数の第１のファイルの各々に関して、前記複数の第１のユーザーの各々のための記憶領域からの受信日時よりも更新日時が新しい場合には、前記第２のユーザーにより更新されたと判別する、前記（２）または（３）に記載の情報処理装置。
（５）
前記返却部は、前記複数の第１のファイルの各々に関して、前記複数の第１のユーザーの各々のための記憶領域への返却日時よりも更新日時が新しい場合には、前記第２のユーザーにより更新されたと判別する、前記（２）〜（４）のいずれか一項に記載の情報処理装置。
（６）
前記情報処理装置は、前記第２のユーザーが操作する情報処理端末から前記情報処理装置に対する指示情報を受信する受信部をさらに備え、
前記返却部は、前記複数の第１のファイルの返却を指示する指示情報が前記情報処理端末から受信された場合に、更新されたことが判別された前記第１のファイルを複製元の前記第１のユーザーのための記憶領域へ複製する、前記（１）〜（５）のいずれか一項に記載の情報処理装置。
（７）
前記複数の第１のユーザーの各々のための記憶領域、および前記第２のユーザーのための記憶領域は、前記サブグループと対応づけてデータベースに記録されている、前記（１）〜（６）のいずれか一項に記載の情報処理装置。
（８）
前記情報処理装置は、前記サブグループの登録時に前記サブグループに対応づけて前記データベースに登録されたファイルを前記複数の第１のユーザーの各々のための記憶領域に複製する配布部をさらに備える、前記（７）に記載の情報処理装置。
（９）
前記複数の第１のファイルは、前記配布部により配布された後に、前記複数の第１のユーザーの各々により更新されたファイルを含む、前記（８）に記載の情報処理装置。
（１０）
前記複数の第１のファイルは、前記複数の第１のユーザーにより複製される前に、前記第２のユーザーのための記憶領域に記憶されていないファイルを含む、前記（８）に記載の情報処理装置。
（１１）
前記情報処理装置は、前記第１のファイルのファイル種別を判別し、前記第２のユーザーのための記憶領域における、判別されたファイル種別に応じたサブ記憶領域に前記第１のファイルを記録するデータベース管理部をさらに備える、前記（７）〜（１０）のいずれか一項に記載の情報処理装置。
（１２）
前記情報処理装置は、前記第２のユーザーが操作する情報処理端末から前記サブグループに関する閲覧要求が受信された場合に、前記第２のユーザーのための記憶領域に記録されている複数のファイルを前記情報処理端末に表示させる表示制御部をさらに備える、前記（７）〜（１１）のいずれか一項に記載の情報処理装置。
（１３）
前記第１のファイルと、前記第１のファイルの提出者を示す提出者情報とは前記データベースにおいて対応づけて記録されており、
前記表示制御部は、前記情報処理端末から前記サブグループの閲覧要求が受信された場合に、前記第１のファイルのファイル名および前記第１のファイルの提出者情報を前記情報処理端末に表示させる、前記（１２）に記載の情報処理装置。
（１４）
前記サブグループは、複数あり、
前記複数の第１のユーザーの各々のための記憶領域、および第２のユーザーのための記憶領域は、前記サブグループごとに、前記データベース内に設けられる、前記（７）〜（１３）のいずれか一項に記載の情報処理装置。
（１５）
複数の前記サブグループは、一つのグループに対応づけて前記データベースに記録される、前記（１４）に記載の情報処理装置。
（１６）
サブグループに登録されている複数の第１のユーザーの各々のための記憶領域から前記サブグループに登録されている第２のユーザーのための記憶領域へ複製された複数の第１のファイルが前記第２のユーザーにより更新されたか否かを判別するステップと、
更新されたことが判別された前記第１のファイルを前記第２のユーザーのための記憶領域から複製元の前記第１のユーザーのための記憶領域へ複製するステップと、
を備える、情報処理方法。
（１７）
情報処理装置、および情報処理端末を有し、
情報処理装置は、
サブグループに登録されている複数の第１のユーザーの各々のための記憶領域から前記サブグループに登録されている第２のユーザーのための記憶領域へ複製された複数の第１のファイルが前記第２のユーザーにより更新されたか否かを判別し、更新されたことが判別された前記第１のファイルを前記第２のユーザーのための記憶領域から複製元の前記第１のユーザーのための記憶領域へ複製する返却部、
を備え、
前記情報処理端末は、
前記情報処理装置から前記第１のファイルを受信する受信部と、
受信された前記第１のファイルを表示する表示部と、
を備える、情報処理システム。
【符号の説明】
【０１４７】
１０  サーバー
２０  電子ペーパー
２２  端末
２４  通信網
１００  制御部
１０２  データベース管理部
１０４  配布部
１０６  転送部
１０８  返却部
１１０  同期部
１２０  通信部
１２２  記憶部
１２４  アクティビティグループＤＢ
１２６  アクティビティＤＢ
１５０  ＣＰＵ
１５２  ＲＯＭ
１５４  ＲＡＭ
１５６  内部バス
１５８  インターフェース
１６０  ストレージ装置
１６２  通信装置
２００  制御部
２０２  同期要求部
２０４  表示制御部
２０６  送信制御部
２２０  通信部
２２２  操作表示部
２２４  記憶部
【図１】
2016081349.tif 000003
【図２】
2016081349.tif 000004
【図３】
2016081349.tif 000005
【図４】
2016081349.tif 000006
【図５】
2016081349.tif 000007
【図６】
2016081349.tif 000008
【図７】
2016081349.tif 000009
【図８】
2016081349.tif 000010
【図９】
2016081349.tif 000011
【図１０】
2016081349.tif 000012
【図１１】
2016081349.tif 000013
【図１２】
2016081349.tif 000014
【図１３】
2016081349.tif 000015
【図１４】
2016081349.tif 000016
【図１５】
2016081349.tif 000017
【図１６】
2016081349.tif 000018
【図１７】
2016081349.tif 000019
【図１８】
2016081349.tif 000020
【図１９】
2016081349.tif 000021
【図２０】
2016081349.tif 000022
【図２１】
2016081349.tif 000023
【図２２】
2016081349.tif 000024
【図２３】
2016081349.tif 000025
【図２４】
2016081349.tif 000026
【図２５】
2016081349.tif 000027
【図２６】
2016081349.tif 000028
【図２７】
2016081349.tif 000029